(57)【要約】【課題】  従来一般の施錠機構を必要としない新規でかつコンパクトな遊技機用施錠装置を提供する。【解決手段】  遊技機の外枠１１に対して前枠を施錠する遊技機用施錠装置１であって、外枠１１に取付けられるオス部材３と、前枠に取付けられるメス部材２とを有している。オス部材３は、前枠を外枠１１に対して閉じたときにメス部材２に設けられた挿通孔２２と嵌合する軸部３１ｂを備えている。そしてオス部材３とメス部材２の間には、挿通孔２２と軸部３１ｂとの嵌合状態を解除可能な状態と解除不能な状態とに切替える切替え保持機構が設けられている。【選択図】        図３
2006043097.tif 000002
【特許請求の範囲】
【請求項１】
遊技機の外枠に対して前枠を施錠する遊技機用施錠装置であって、
前記外枠と前記前枠のいずれか一方の部材に取付けられるオス部材と、いずれか他方の部材に取付けられるメス部材とを有し、前記オス部材は、前記前枠を前記外枠に対して閉じたときに前記メス部材に設けられた挿通孔と嵌合する軸部を備え、前記オス部材と前記メス部材の間には、前記挿通孔と前記軸部との嵌合状態を解除可能な状態と解除不能な状態とに切替える切替え保持機構が設けられていることを特徴とする遊技機用施錠装置。
【請求項２】
請求項１に記載の遊技機用施錠装置であって、
切替え保持機構は、前枠に取付けられるシリンダ錠に連結されており、前記シリンダ錠に差し込まれた鍵を回転させた際にのみ、挿通孔と軸部との嵌合状態を解除可能な状態にする構成になっていることを特徴とする遊技機用施錠装置。
【請求項３】
請求項１または２に記載の遊技機用施錠装置であって、
切替え保持機構は、メス部材の挿通孔内を軸方向にスライドするスライド部材と、そのスライド部材を挿通孔の開口部側に付勢する付勢部材とを有しており、前記スライド部材には、オス部材の軸部が差し込まれる差込部が形成されており、その差込部に対して突出する係合部材が前記スライド部材に取付けられており、前記付勢部材の付勢力に抗して前記スライド部材を挿通孔奥側にスライドさせることで、前記係合部材の前記差込部への突出量が減少可能な状態になる構成になっており、
前記差込部に差込まれた前記軸部によって前記スライド部材が挿通孔奥側にスライドし、前記係合部材の突出量が減少し、前記軸部の先端部が前記係合部材よりも挿通孔奥側に差込まれることによって、前記軸部と前記挿通孔との嵌合状態が解除不能な状態となり、
前枠に取付けられたシリンダ錠に差し込んだ鍵を回転させた際には、前記付勢部材の付勢力に抗して前記スライド部材が挿通孔奥側にスライドされて、前記係合部材の突出量が減少可能な状態になり、前記軸部と前記挿通孔との嵌合状態が解除可能な状態になる構成になっていることを特徴とする遊技機用施錠装置。
【発明の詳細な説明】
【技術分野】
【０００１】
本発明は、遊技機の外枠に対して前枠を施錠する遊技機用施錠装置に関する。
【背景技術】
【０００２】
従来、種々の遊技機用施錠装置が知られており、例えば特許文献１に記載の施錠装置が知られている。
特許文献１に係る施錠装置は、前枠の裏面に取付けられる基枠体と、その基枠体に取付けられる上鉤部材と下鉤部材と連結杆とを有している。上鉤部材と下鉤部材は、基枠体の内側の側縁上端寄りと側縁下端寄りのそれぞれに傾動可能に取付けられており、外枠に取付けられた係止具に対して掛け止められる構成になっている。連結杆は、基枠体に対して摺動可能に配設されており、上鉤部材と下鉤部材に連結されている。そして連結杆は、シリンダ錠に差し込んだ鍵を回転させることによって上下方向いずれか一方に摺動する構成になっている。したがって鍵を回転させることで連結杆が摺動し、上鉤部材と下鉤部材とが連結杆を介して連動して外枠の係止具から外れる構成になっていた。
【特許文献１】実公平４−３２１５０号公報
【発明の開示】
【発明が解決しようとする課題】
【０００３】
しかし従来の施錠装置は、上記したような構成であるために比較的大きな構成になっており、広い設置スペースが必要であった。
そこで本発明は、従来一般の施錠機構を必要としない新規でかつコンパクトな遊技機用施錠装置を提供することを課題とする。
【課題を解決するための手段】
【０００４】
前記課題を解決するために本発明は、各請求項に記載の通りの構成を備える遊技機用施錠装置であることを特徴とする。
請求項１に記載の発明によると、外枠と前枠のいずれか一方の部材に取付けられるオス部材と、いずれか他方の部材に取付けられるメス部材とを有している。オス部材は、前枠を外枠に対して閉じたときにメス部材に設けられた挿通孔と嵌合する軸部を備えている。そしてオス部材とメス部材の間には、挿通孔と軸部との嵌合状態を解除可能な状態と解除不能な状態とに切替える切替え保持機構が設けられている。
【０００５】
したがって前枠を外枠に対して閉じることによって、オス部材の軸部とメス部材の挿通孔とが嵌合する。そしてその嵌合状態が切替え保持機構によって解除不能な状態とされることによって、前枠を外枠に対して施錠できる。そして軸部と挿通孔との嵌合状態を切替え保持機構において解除可能な状態にすることによって、前枠を外枠に対して開くことができる。
また施錠装置は、オス部材とメス部材の間に切替え保持機構を有している。したがって切替え保持機構をオス部材またはメス部材にユニット化することによって、施錠装置をコンパクトな構成にすることができる。
【０００６】
請求項２に記載の発明によると、切替え保持機構は、前枠に取付けられるシリンダ錠に連結されており、シリンダ錠に差し込まれた鍵を回転させた際にのみ、挿通孔と軸部との嵌合状態を解除可能な状態にする構成になっている。
したがって切替え保持機構は、シリンダ錠に鍵を差込んで鍵を回転させなければ、解錠状態にならない構成になっている。
【０００７】
請求項３に記載の発明によると、切替え保持機構は、メス部材の挿通孔内を軸方向にスライドするスライド部材と、そのスライド部材を挿通孔の開口部側に付勢する付勢部材とを有している。スライド部材には、オス部材の軸部が差し込まれる差込部が形成されており、その差込部に対して突出する係合部材がスライド部材に取付けられている。そして付勢部材の付勢力に抗してスライド部材を挿通孔奥側にスライドさせることで、係合部材の差込部への突出量が減少可能な状態になる構成になっている。
そして差込部に差込まれた軸部によってスライド部材が挿通孔奥側にスライドし、係合部材の突出量が減少し、軸部の先端部が係合部材よりも挿通孔奥側に差込まれることによって、軸部と挿通孔との嵌合状態が解除不能な状態となる。
そして前枠に取付けられたシリンダ錠に差し込んだ鍵を回転させた際には、付勢部材の付勢力に抗してスライド部材が挿通孔奥側にスライドされて、係合部材の突出量が減少可能な状態になり、軸部と挿通孔との嵌合状態が解除可能な状態になる構成になっている。
【０００８】
したがって軸部と挿通孔とを嵌合させていない場合には、スライド部材が付勢部材によって挿通孔の開口部側に位置する。そして係合部材は、スライド部材の差込部に対して突出した状態になる。この状態において差込部にオス部材の軸部を差込むと、軸部と係合部材が当接し、係合部材を介してスライド部材が挿通孔内を挿通孔奥側にスライドする。そして係合部材の差込部への突出量が減少し、軸部の先端部が係合部材を越えて挿通孔奥側に差込まれる。
【０００９】
その状態にて軸部と挿通孔とを離間させようとした際には、係合部材が軸部に引きずられて挿通孔開口部側に移動する。そして係合部材とともにスライド部材が挿通孔開口部側に移動し、係合部材の差込部への突出量が増加する。あるいは係合部材の差込部への突出量が減少できない状態になる。これにより軸部と挿通孔とが離間できなくなり、軸部と挿通孔との嵌合状態が解除不能な状態とされる。
【００１０】
シリンダ錠に差し込んだ鍵を回転させた際には、スライド部材が付勢部材の付勢力に抗して挿通孔奥側にスライドされる。これにより係合部材の突出量が減少可能な状態になる。かくして軸部と挿通孔は、係合部材に邪魔されることなく離間可能になり、嵌合状態が解除可能な状態になる。
【発明の効果】
【００１１】
本発明に係る施錠装置によれば、従来一般の施錠機構を必要としない新規でかつコンパクトな施錠装置を提供することができる。
【発明を実施するための最良の形態】
【００１２】
本発明の実施の形態を図１〜１０にしたがって説明する。
パチンコ機（遊技機）１０は、図１に示すように遊技島に固定される外枠１１と、外枠１１に対して回動可能に取付けられる前枠１２と、前枠１２を外枠１１に対して施錠する施錠装置１とを有している。
【００１３】
外枠１１は、長方枠状であって上下左右の枠部材を有している。左右の枠部材の一方の枠部材の上部と下部には、ヒンジ１３，１４が取付けられている。
前枠１２は、板状であって中央部に開口窓１２ａを有している。前枠１２の左右一端寄りの上端部と下端部は、ヒンジ１３，１４を介して外枠１１に取付けられている。したがって前枠１２は、ヒンジ１３，１４を回動中心に外枠１１に対して回動する。
【００１４】
施錠装置１は、前枠１２を外枠１１に対して施錠する装置であって、オス部材３とメス部材２とシリンダ錠４を有している。
オス部材３は、図２に示すように外枠１１に取付けられている。一方、メス部材２とシリンダ錠４は、前枠１２に取付けられている。
【００１５】
オス部材３は、図３,４に示すように取付部材３０と軸部材３１を有している。
取付部材３０は、金属板を曲げ加工した構成になっており、ネジ３３によって外枠１１の左右一方の枠部材に取付けられる（図２参照）。詳しくは、ヒンジ１３，１４が取付けられていない左右一方の枠部材における縦方向略中央位置に取付けられる。
軸部材３１は、ネジ３２を介して取付部材３０に固定される固定部３１ａと、固定部３１ａから前方に突出する軸部３１ｂとを一体に備えている。
【００１６】
シリンダ錠４は、図５に示すように筒体４０と、筒体４０の軸中心に設けられる軸部４２とを有している。筒体４０と軸部４２の間には、筒体４０と軸部４２に渡って鍵穴４３が形成されている。
軸部４２は、鍵穴４３に鍵５を差込み、鍵５を回転させた際にのみ筒体４０に対して軸中心に回転する。軸部４２は、図６に示すように筒体４０を貫通しており、貫通した軸部４２の先端には、ネジ４４によってカム４１が固定されている。
【００１７】
メス部材２は、図３に示すように取付部材２０とガイド部材２１を有している。そして取付部材２０とガイド部材２１の間に挿通孔２２を有している。挿通孔２２は、オス部材３の軸部３１ｂが嵌合される構成になっている。
取付部材２０は、図３,６に示すように金属板を曲げ加工した構成になっており、ネジ２６によってシリンダ錠４の筒体４０と一体とされる。
取付部材２０は、図２に示すように前枠１２の左右一端寄りに取付けられる。詳しくは、ヒンジ１３，１４が取付けられていない前枠１２の左右一端寄りにおける縦方向略中央位置に取付けられる。なお筒体４０は、前枠１２を厚み方向に貫通する貫通穴に内設される。
【００１８】
ガイド部材２１は、図６に示すように取付部材２０に固定されることで取付部材２０との間に挿通孔２２を形成する。そしてガイド部材２１と取付部材２０との間には、切替え保持機構（２１，２３，２４，２５）が設けられている。
切替え保持機構は、挿通孔２２と軸部３１ｂとの嵌合状態を解除可能な状態と解除不能な状態とに切替える構成になっており、図６に示すようにガイド部材２１とスライド部材２３と係合部材２４と付勢部材２５を有している。
【００１９】
スライド部材２３は、挿通孔２２内にて軸方向にスライドする本体部２３ａと、本体部２３ａからシリンダ錠４側に延出する脚部２３ｂを有している。
本体部２３ａは、断面コ字状であって底壁２３ａ１と一対の対向する立設壁２３ａ２，２３ａ３を有しており、立設壁２３ａ２，２３ａ３の間に差込部２３ｃを有している。差込部２３ｃには、図８に示すようにオス部材３の軸部３１ｂが差込まれる。
【００２０】
立設壁２３ａ２，２３ａ３には、図６に示すように貫通する取付孔２３ａ４，２３ａ５が形成されている。取付孔２３ａ４，２３ａ５は、図７に示すようにテーパを有しており、テーパは、外側面から差込部２３ｃに向けて徐々に径が細くなっている。そして取付孔２３ａ４，２３ａ５に係合部材２４が配設されている。
【００２１】
係合部材２４は、円筒状であって、取付孔２３ａ４，２３ａ５の最大径よりも径が小さく、取付孔２３ａ４，２３ａ５の最小径よりも径が大きい。したがって係合部材２４は、取付孔２３ａ４，２３ａ５のテーパによって差込部２３ｃ側に抜け落ちることが防止されている。
また取付孔２３ａ４，２３ａ５の最小径は、係合部材２４の一部が差込部２３ｃに突出するのに十分な大きな径を有している。
【００２２】
挿通孔２２には、図７に示すようにスライド部材２３の本体部２３ａと付勢部材２５が内設されており、挿通孔２２は、開口部２２ａとテーパ孔部２２ｃと奥側開口部２２ｂを有している。
開口部２２ａは、スライド部材２３の本体部２３ａが開口部２２ａから先方へ（図７左方向に）抜けることを防止するために、スライド部材２３の本体部２３ａの径よりも径が小さい構成になっている。
【００２３】
奥側開口部２２ｂは、付勢部材２５が奥側開口部２２ｂから挿通孔奥側へ（図７右方向に）抜けることを防止する構成になっている。
テーパ孔部２２ｃは、開口部２２ａよりも径が大きく、開口部２２ａ側から奥側開口部２２ｂに向けて徐々に径が大きくなっている。そして奥側開口部２２ｂ寄りにて奥側開口部２２ｂよりも径が大きい構成になっている。
【００２４】
したがって挿通孔２２内に設けられたスライド部材２３は、テーパ孔部２２ｃ内を軸方向にスライドする。そしてスライド部材２３とともに係合部材２４もテーパ孔部２２ｃ内を軸方向にスライドする。
また係合部材２４は、径方向にも移動可能になっており、径方向への移動量（図７上下方向の移動量）は、テーパ孔部２２ｃの孔壁面とスライド部材２３の取付孔２３ａ４，２３ａ５の孔壁面とによって決定されている。そのためスライド部材２３を付勢部材２５の付勢力に抗して挿通孔奥側にスライドさせた際には、係合部材２４の径方向への移動量が徐々に大きくなり、係合部材２４は、径方向外方に移動できるようになる。これにより係合部材２４の差込部２３ｃへの突出量が減少可能な状態になる。したがってテーパ孔部２２ｃの孔壁面によって係合部材２４の差込部２３ｃへの突出量が調整される（突出量調整機構）。
【００２５】
複数の（例えば二つの）付勢部材２５は、図６，７に示すように例えばコイルスプリングであって、スライド部材２３の本体部２３ａと挿通孔２２の奥側開口部２２ｂとの間に配設され、スライド部材２３を開口部２２ａに向けて付勢する。
したがって挿通孔２２に軸部３１ｂを嵌合させていない状態の際には、スライド部材２３が付勢部材２５によって挿通孔２２開口部２２ａ側に位置する。そして係合部材２４は、スライド部材２３の差込部２３ｃに対して突出した状態になる。
【００２６】
スライド部材２３の脚部２３ｂは、図６に示すように本体部２３ａからカム４１の下側に張出している。そして脚部２３ｂとカム４１の間には、解除機構（２３ｄ，４１ａ）が設けられている。
解除機構は、脚部２３ｂに設けられた凸部２３ｄと、カム４１に設けられた膨らみ部４１ａとを有している。
凸部２３ｄは、脚部２３ｂからカム４１と筒体４０の間に張出している。
膨らみ部４１ａは、カム４１の一部から筒体４０側に膨らむ構成になっている。そして膨らみ部４１ａは、図９，１０に示すようにカム４１を回転させることで凸部２３ｄに当接し、凸部２３ｄをシリンダ錠４に向けて押す。これによってスライド部材２３の本体部２３ａが挿通孔２２に対して挿通孔奥側にスライドされる。
【００２７】
以下に施錠装置１を施錠する方法について説明する。
先ず、前枠１２を開いた状態から閉じた状態に向けて回動させる（図１参照）。これにより前枠１２に取付けられたメス部材２が図８に示すように外枠１１に取付けられたオス部材３に近接する。そしてメス部材２の挿通孔２２にオス部材３の軸部３１ｂが徐々に差込まれ、続いてスライド部材２３の差込部２３ｃに軸部３１ｂが差込まれる。そして差込部２３ｃに突出している係合部材２４が軸部３１ｂに当接する。
【００２８】
さらにメス部材２を矢印Ｂ方向に移動させることで、係合部材２４を介してスライド部材２３が、付勢部材２５の付勢力に抗して挿通孔２２に対して相対的に挿通孔奥側にスライドする。これにより係合部材２４が径方向外方に移動可能になり、係合部材２４の差込部２３ｃへの突出量が減少し、軸部３１ｂの先端部が係合部材２４を径方向外方に押しながら係合部材２４を越えて挿通孔２２に対して相対的に挿通孔奥側に差込まれる。
【００２９】
この状態にて前枠１２を外枠１１に対して開放させようとすると、図８（Ｄ）に示すようにメス部材２が矢印Ｃ方向に移動しようとする。すなわち軸部３１ｂと挿通孔２２とを離間させようとする外力が生じる。これにより係合部材２４が軸部３１ｂによって引きずられて挿通孔２２開口部２２ａ側に移動する。そして係合部材２４とともにスライド部材２３も挿通孔２２開口部２２ａ側に移動し、係合部材２４の差込部２３ｃへの突出量が増加する。あるいは係合部材２４の差込部２３ｃへの突出量が減少できない状態になる。したがって軸部３１ｂと係合部材２４とが離間できなくなり、軸部３１ｂと挿通孔２２との嵌合状態が解除不能な状態になる。
かくして施錠装置１を施錠することができる。
【００３０】
次に施錠装置１を解錠する方法について説明する。
施錠状態にある施錠装置１の鍵穴４３に鍵を差込み（図５参照）、図９に示すように鍵を矢印Ｄ方向に回転させる。鍵の回転により軸部４２とカム４１が回転し、図１０に示すようにカム４１の膨らみ部４１ａがスライド部材２３の凸部２３ｄをシリンダ錠４側に押す。これによってスライド部材２３の本体部２３ａが付勢部材２５に抗して挿通孔２２奥側にスライドする。そして係合部材２４が径方向外方に移動可能な状態になり、係合部材２４の差込部２３ｃへの突出量が減少可能な状態になる（解除構造）。
かくして軸部３１ｂと挿通孔２２は、係合部材２４に邪魔されることなく離間可能になり、嵌合状態が解除可能な状態になる。したがって前枠１２を外枠１１に対して開けることができるようになる。
【００３１】
以上のようにして施錠装置１が形成されている。
すなわち施錠装置１は、図２，５などに示すようにオス部材３とメス部材２を有している。オス部材３は、前枠１２を外枠１１に対して閉じたときにメス部材２に設けられた挿通孔２２と嵌合する軸部３１ｂを備えている。そしてオス部材３とメス部材２の間には、挿通孔２２と軸部３１ｂとの嵌合状態を解除可能な状態と解除不能な状態とに切替える切替え保持機構（２１，２３，２４，２５）が設けられている。
【００３２】
したがって前枠１２を外枠１１に対して閉じることによって、オス部材３の軸部３１ｂとメス部材２の挿通孔２２とが嵌合する。そしてその嵌合状態を切替え保持機構によって解除不能な状態にすることによって、前枠１２を外枠１１に対して施錠できる。そして軸部３１ｂと挿通孔２２との嵌合状態を切替え保持機構において解錠可能な状態にすることによって、前枠１２を外枠１１に対して開くことができる。
また施錠装置１は、メス部材２に切替え保持機構を有しており、切替え保持機構がメス部材２に対してユニット化されている。したがって施錠装置１がコンパクトな構成になっている。
【００３３】
切替え保持機構（２１，２３，２４，２５）は、図９，１０などに示すように前枠に取付けられるシリンダ錠４に連結されており、シリンダ錠４に差し込まれた鍵を回転させた際にのみ、挿通孔２２と軸部３１ｂとの嵌合状態を解除可能な状態にする構成になっている。
したがって切替え保持機構は、シリンダ錠４に鍵を差込んで鍵を回転させなければ、解錠状態にならない構成になっている。
【００３４】
施錠装置１は、図８に示すように軸部３１ｂと挿通孔２２とを嵌合させる構成になっている。そのため不正行為によって軸部３１ｂが挿通孔２２から外される心配がない。例えば外部から差込まれた針金等によって解錠される心配がない。かくして施錠装置１は、不正行為を防止しし得る構成にもなっている。
切替え保持機構（２１，２３，２４，２５）は、図８に示すように軸部３１ｂと挿通孔２２との嵌合量が所定量以上に達することで軸部３１ｂと挿通孔２２との嵌合状態を解除不能とする構成になっている。したがって施錠装置１は、鍵を使用することなく施錠状態になる。
【００３５】
（他の実施の形態）
本発明は、上記の実施の形態に限定されず、以下の形態であってもよい。
（１）すなわち上記の実施の形態に係る施錠装置は、オス部材が外枠に取付けられており、メス部材が前枠に取付けられていた。しかしオス部材が前枠に取付けられ、メス部材が外枠に取付けられる形態であっても良い。
（２）上記の実施の形態に係る施錠装置の構成に加えて、シリンダの軸部を常に図９（Ｂ）に向けて付勢する付勢部材を設ける形態であっても良い。そして当該付勢部材を設けることによってシリンダの軸部は、図１０（Ｂ）の状態にされた際においても付勢部材の付勢力によって図９（Ｂ）の状態に戻ることになり、使用勝手が向上する。
【図面の簡単な説明】
【００３６】
【図１】前枠を外枠に対して開いた状態にした際の遊技機の右後方からの斜視図である。
【図２】外枠の一部と前枠の左後方からの斜視図である。
【図３】施錠装置の左後方からの斜視図である。
【図４】オス部材の左後方からの分解斜視図である。
【図５】施錠装置の左前方からの斜視図である。
【図６】メス部材の左後方からの分解斜視図と、シリンダ錠の左後方からの斜視図である。
【図７】図５（Ａ）のＡ−Ａ線断面矢視図である。
【図８】施錠時の動作説明図である。
【図９】解錠時の動作説明図である。
【図１０】解錠時の動作説明図である。
【符号の説明】
【００３７】
１…施錠装置
２…メス部材
３…オス部材
４…シリンダ錠
５…鍵
１０…パチンコ機（遊技機）
１１…外枠
１２…前枠
２０…取付部材
２１…ガイド部材
２２…挿通孔
２２ａ…開口部
２２ｂ…奥側開口部
２２ｃ…テーパ孔部
２３…スライド部材
２３ｃ…差込部
２３ｄ…凸部
２４…係合部材
２５…付勢部材
３０…取付部材
３１…軸部材
３１ｂ…軸部
４１…カム
【図１】
2006043097.tif 000003
【図２】
2006043097.tif 000004
【図３】
2006043097.tif 000005
【図４】
2006043097.tif 000006
【図５】
2006043097.tif 000007
【図６】
2006043097.tif 000008
【図７】
2006043097.tif 000009
【図８】
2006043097.tif 000010
【図９】
2006043097.tif 000011
【図１０】
2006043097.tif 000012